(57)【要約】  本発明は、トイレに簡単に設置することができる足で操作される便座リフタを提供する。保持されたシリンダ及びピストンを備えた自在ブラケットが既存の便座留め具を使用することによって便器に取り付けられる。便座リフタは、フットペダルに踏み圧を加えることによってアクティブ化され、その結果として、それが弁を開いて、既存のトイレ給水からの水圧をシリンダ及びピストンに供給する。
2007534452.tif 000002
【特許請求の範囲】
【請求項１】
既存の給水ラインに接続するためのＴコネクタ（７）と、
保持されたシリンダ（５）、ピストン（４）及びリフタアーム（３）を備えたスロット付き自在ブラケット（１）であって、既存の便座留め具を使用することによって便器に取り付けられるように適合されている自在ブラケット（１）と、
三つのポート、すなわち
配管によってＴコネクタ（７）に接続されている給水導入口、
配管によってシリンダ及びピストン（５）に接続されている放出口、及び
配管によって、便器ブラケット（１）中に含まれた放出口（２）に接続されている放出口
を備えた弁を含むフットペダル（９）と、
を含み、
フットペダル弁（９）がアクティブ化されると、給水導入口が放出口に接続され、フットペダル弁（９）が非アクティブ化されると、放出口が、放出口及びフットペダル弁（９）から便器ブラケット（１）まで延びる３本の管を収容するホースに接続されるように適合されている水圧式便座リフタ。
【発明の詳細な説明】
【技術分野】
【０００１】
本発明は、一般にトイレに関し、より具体的には、便座リフト機構に関する。
【０００２】
発明の背景
便座に関して以下の課題を解決する必要がある。
１．便座に触れてしまうこと。
２．便座を上げたままにしてしまうこと。
３．濡れた便座又はねちゃつく便座に座らざるを得ないこと。
４．便座を上げた状態で座ってしまうこと。
５．残尿感の苦痛。
６．便座への流出が目立つこと。
７．便座を上げ下げするときのパタンという音。
８．排尿時に便座を上げておかなければならないこと。
９．暗い中で着座すること。
１０．便座を上げるために腰の痛みに耐えながら腰を曲げること。
１１．自分用の便座に関して無意味に言い争うこと。
１２．ふたが開いたままになること。
１３．便座がパタンと倒れる危険性。
【０００３】
本発明は、上記課題を解決し、以下の利点を提供する。
１．衛生
２．利便性
３．快適さ
４．実用性
５．安全性
６．健康
７．滑らかな動き
８．美観（見かけの良さ）
９．使いやすさ
１０．ハンズフリー
１１．手が出せる価格
１２．設置しやすさ
１３．耐久性
１４．非電気的、非機械的、メンテナンスフリー。
【０００４】
本発明の主な使用は、簡便かつ衛生的な便座の昇降及び便座が常に降りた位置に戻ることを保証することである。この便座リフタは、男女が同じ施設の利用者であるところの広い公共的及び家庭的用途を有する。
【０００５】
発明の概要
便座及びふたを持ち上げるための水圧式便座リフタ。
本発明は、トイレに簡単に設置することができる足で操作する便座リフタを提供する。
便座リフタは、便器にブラケットを取り付けるために、スロットを備えたブラケットを含む。
保持されたシリンダ及びピストンを備えた自在ブラケットが、既存の便座留め具を使用して便器に取り付けられる。
便座リフタはフットペダルで操作される。
便座リフタは、フットペダルに踏み圧を加えることによってアクティブ化され、その結果として、それが弁を開いて、既存のトイレ給水からの水圧をシリンダ及びピストンに供給する。
シリンダ及びピストンは、圧力を作用させ、リフタアームを押し、その結果として、それが便座及びふたを持ち上げる。
フットペダルからの圧を解除すると、弁は閉じられ、シリンダ及びピストンへの圧は遮断される。
弁は、非アクティブ化状態では、シリンダと、便器ブラケットに含まれる放出口との間の接続を開いている。
便座及びふたがその降りた位置に戻るときには、便座の重量によってシリンダ中の水が放出口から押し出され、便器中に放出される。持ち上げ動作が妨げられると、シリンダがブラケットから下方に外れてけがを防止する。
【０００６】
便座リフタは、図１及び２に示す番号で指摘する以下の部品を含む。
【０００７】
１．トイレに取り付け、シリンダ（５）及び放出口（２）を保持するための便器ブラケット。
２．シリンダ（５）から水を放出するための放出口。
３．便座を持ち上げるための、ピストンロッド（４）に接続されたリフタアーム。
４．シリンダ（５）に圧が加わったときリフタアーム（３）を押すピストンロッド。
５．圧力を作用させて持ち上げ動作をアクティブ化するシリンダ及びピストン。
６．フットペダル弁（９）をＴコネクタ（７）、放出口（２）及びシリンダ（５）に接続するための配管。
７．トイレ給水を便座リフタに接続するためのＴコネクタ。
８．フットペダル弁（９）に接続された配管を収容するためのホース。
９．踏み圧を加えられると給水ラインをシリンダ（５）に接続し、踏み圧が解除されるとシリンダ（５）を放出口（２）に接続するためのフットペダル弁。
１０．既存の便座留め具を使用することによってブラケットを取り付けるための、便器ブラケット（１）中のスロット。
【０００８】
図面、特に図１及び２を参照する。
【０００９】
便座リフタは、便座アセンブリを便器に対して保持する各留め具を緩めることによって設置される。便器ブラケット（１）は、各留め具と便器との間に嵌め込まれる。
各便器ブラケットスロット（１０）は一つの便座留め具の周囲に嵌め込まれる。
リフタアーム（３）は便座よりも下方になければならない。
留め具が締め付けられ、便座リフタが所定の位置に保持される。
Ｔコネクタ（７）を接続する前にトイレへの給水弁が閉じられる。
トイレへの既存の給水管が断たれ、Ｔコネクタが、給水弁と、トイレ水取水口に接続された管との間に嵌るように接続される。
フットペダル弁（９）は、それに取り付けられるホース（８）の長さの範囲内で使用者が望むところに位置づけることができる。
【００１０】
フットペダル弁（９）に圧を加えると、弁は、Ｔコネクタ（７）からシリンダ（５）への給水を開く。
シリンダ（５）に接続された水圧がシリンダ中のピストンに作用し、ピストンロッド（４）をシリンダ（５）から外向きに押す。
リフタアーム（３）に取り付けられたピストンロッド（４）がリフタアームを押す。
その結果として、リフタアーム（３）は、ピストンがシリンダ（５）の上部に達するまで便座を上向きに押す。
【００１１】
フットペダル弁（９）から圧を解放すると、弁はＴコネクタ（７）からシリンダ（５）への給水を終え、シリンダ（５）と放出口（２）との間の接続を始める。
便座の重さがピストンロッド（４）に重力圧を加え、ピストンによって、フットペダル弁（９）を介してシリンダ（５）から放出口（２）まで水を押しやる。水は放出口（２）を介して便器に排出される。
水がシリンダ（５）から抜かれると、ピストンロッド（４）はシリンダ（５）中に戻り、リフタアーム（３）及び便座を便器上のホームポジションまで降下させる。
上記作用により、便座及びふたの両方を昇降させることができる。
【００１２】
図面の詳細な説明
次に、図２に示すような便座リフタ部品それぞれを、図３〜図８を参照しながら詳細に説明する。
【００１３】
１．便器ブラケット（特に図３）
便器ブラケット（１）の主な目的は、容易な設置方法で便座リフタを便器に取り付けることである。
ブラケットスロット（１０）が、既存の便座留め具の間で留め具を取り外すことなく便器ブラケットをスライドさせる容易な方法を提供する。
便座リフタは、便座アセンブリを便器に対して保持する各留め具を緩めることによって設置される。図８（４）。
図８（５）は、便器ブラケット（１）を各留め具と便器との間に嵌め込む方法を示す。各ブラケットスロット（１０）を一つの便座留め具の周囲に嵌め込む。リフタアーム（３）は便座よりも下方になければならない。図８（５）。
留め具を締め付け、便座リフタを所定位置に保持する。図８（６）。
便器ブラケット（１）は、だぼによってリフタアーム（３）を取り付けるための支持部を提供する。
便器ブラケット（１）は、放出口（２）に対する放出口支持部（１ｃ）を提供する。
放出口（２）の位置は、それをスライドさせて放出口支持部（１ｃ）に対して出し入れすることによって調節することができる。
便器ブラケット（１）は、ピストン及びシリンダ（５）のためのピボットスロット支持部（１ｂ）を提供する。
ピボットスロット（１ｂ）は、丸い旋回点を有するテーパ部であり、シリンダ上部（５ａ）への支持部中にクリップを提供する。シリンダ上部（５ａ）は、二つの円柱形延長部を両側に有し、それがピボットスロット（１ｂ）に滑り込み、スロットの端部の丸いピボット点の中に留まる。
便器ブラケット（１）は、ホース（８）をブラケット（１）に取り付けるための支持部を提供する。
【００１４】
２．放出口（特に、図３）
放出口は、水をシリンダ（５）から抜くための放出口として働く。放出口は、ホース（８）の中をフットペダル弁（９）まで延びる管に接続されている。
図６（２）に示すように、シリンダ（５）中の水が弁を介して放出口（２）まで抜かれる。
【００１５】
３．リフタアーム（特に図３）
リフタアーム（３）は、だぼ（３ａ）によってブラケットだぼ支持部（１ａ）に取り付けられている。リフタアーム（３）は、クリップ（４ａ）によってピストンロッド（４）に取り付けられている。
図８（７）は、リフタアームへのピストンロッドの取り付けを示す。
ピストン（４ｂ）は、シリンダ（５ｂ）に加えられる圧を作用させ、ピストンロッド（４）をシリンダ（５ｂ）から外に押す。ピストンロッド（４）は、リフタアーム（３）を押し、その結果として、ピストンがシリンダ（５ｂ）のトップに達するまで便座を上に押す。
便座を押すと、リフタアーム（３）は、それがブラケット（１）に取り付けられているところのブラケットだぼ支持部（１ａ）で旋回して、半径範囲で動く。
【００１６】
４．ピストンロッド（特に図３）
ピストンロッド（４）は、一端がピストン（４ｂ）に取り付けられ、他端がピストンロッドクリップ（４ａ）に取り付けられる。ピストンロッド（４）は、ピストン（４ｂ）とリフタアーム（３）との間で支持接続として働く。ピストン（４ｂ）の動きはピストンロッド（４）によって直接リフタアーム（３）に伝達される。
【００１７】
５．ピストン及びシリンダ（特に図３）
シリンダ（５ｂ）は、ホース（８）の中をフットペダル弁（９）まで延びる管に接続されている。図６（１）に示すように、フットペダル弁のアクティブ化が給水ラインをシリンダ（５ｂ）に接続させる。水圧がピストン（４ｂ）に作用し、ピストンがシリンダトップ（５ａ）に達するまでシリンダ中でピストンを上に押す。ピストン（４ｂ）に取り付けられたピストンロッド（４）は直ちにリフタアーム（３）を押し、その結果として、それが便座を押して、完全な便座持ち上げ動作を可能にする。
【００１８】
６．配管（特に図４）
図４に示すように、フットペダル弁（９ｈ）のポートに接続された管が三つある。
一つの管は、フットペダル弁（９ｈ）のポート９ｈ１に接続され、その他端が、給水ラインに接続されているＴコネクタ（７）に接続されている。
一つの管は、フットペダル弁（９ｈ）のポート９ｈ２に接続され、その他端がシリンダ（５）に接続されている。
一つの管は、フットペダル弁（９ｈ）のポート９ｈ３に接続され、その他端が放出口（２）に接続されている。
三つの管はいずれも、図２に示すように、フットペダル（９）から便器ブラケット（１）まで延びるホース（８）に封入されている。
【００１９】
７．Ｔコネクタ（特に図７）
Ｔコネクタは、既存のトイレ給水ラインへの簡単な接続を提供する。
図８（１）に示すように、Ｔコネクタ（７）に接続する前にトイレへの給水弁を閉じる。
図８（２）に示すように、トイレへの既存の給水ラインを断つ。
図８（３）に示すように、Ｔコネクタ（７）を、給水弁と、トイレ取水口に接続された管との間に嵌るように接続する。
Ｔコネクタ（７）は、コネクタボディ（７ｃ）及びコネクタナット（７ｈ）上に標準的なねじを有して、大部分のトイレ給水取り付け具に対応する。
Ｔコネクタ（７）は、便座リフタシステムに入る汚れを除くためのウォータフィルタ（７ｂ）を有している。
管が、フットペダル弁（図４（７））に延びるかえし付き取り付け具（７ｄ）に接続される。
【００２０】
８．配管を収容するホース（特に図２）
フットペダル弁（９）から便器ブラケット（１）まで延びる配管を封入するためにはホースが使用される。
このホースは、配管の保護として働き、美観を高める。
図３（８）及び図５（８）は、それぞれ、便器ブラケット（１）及びフットペダル弁（９）へのホースの接続を示す。
【００２１】
９．フットペダル弁（特に図５）
フットペダル弁（９）は、便座持ち上げ動作のアクチュエータとして働く。
ペダルカバー（９ａ）がだぼ（９ｃ）によってペダルベース（９ｂ）に取り付けられる。
滑り止めグリップ（９ｄ）がペダルベース（９ｂ）の底部に取り付けられて、それを踏んだときペダルがずれることを防ぐ。
踏み圧がペダルカバー（９ａ）に加えられると、その圧力は弁ピストン（９ｉ）に伝達されて、弁ピストンが弁ボディ（９ｈ）のスリーブの中を下に移動する。
次に、特に図６を参照する。
圧力が弁ピストン（９ｉ）に加わると、弁はアクティブ化状態になる。
弁は、ポート（９ｈ１）をポート（９ｈ２）に接続して、水をＴコネクタ（図４（７））からシリンダ（図４（５））に流れさせ、便座リフタの持ち上げ動作を生じさせる。
踏み圧が弁ピストン（９ｉ）に加わると、弁はアクティブ化（１）状態になる。
弁は、ポート（９ｈ１）をポート（９ｈ２）に接続して、水をＴコネクタ（図４（７））からシリンダ（図４（５））に流れさせ、便座リフタの持ち上げ動作を生じさせる。
踏み圧が弁ピストン（９ｉ）から解除されると、弁は非アクティブ化（２）状態になる。
弁は、ポート（９ｈ２）をポート（９ｈ３）に接続して、水をシリンダ（図４（５））から放出口（図４（２））に抜けさせて、便座リフタの降下動作を生じさせる。
Ｏリング（９ｊ１及び９ｊ２）が弁シールとして働く。
【図面の簡単な説明】
【００２２】
【図１】トイレに設置された便座リフタの斜視図を示す。
【図２】便座リフタ部品の斜視図を示す。
【図３】便座リフタのブラケットアセンブリの分解図を示す。
【図４】フットペダル弁、ブラケットアセンブリ中に保持されたシリンダ及び給水ラインに接続するＴコネクタの間の配管接続を示す。
【図５】フットペダル弁の分解図を示す。
【図６】フットペダル弁の動作を示す。
【図７】給水ラインに接続するＴコネクタの分解図を示す。
【図８】トイレに対する便座リフタの設置を示す。
【図１】
2007534452.tif 000003
【図２】
2007534452.tif 000004
【図３】
2007534452.tif 000005
【図４】
2007534452.tif 000006
【図５】
2007534452.tif 000007
【図６】
2007534452.tif 000008
【図７】
2007534452.tif 000009
【図８】
2007534452.tif 000010
【国際調査報告】
2007534452.tif 000011
2007534452.tif 000012